(57)【特許請求の範囲】
【請求項１】
容器口筒部が螺着筒とその上方に続く押出筒とからなり、螺着筒にキャップを被嵌するようにした押出容器であって、
前記螺着筒の上端部周縁にキャップの螺着筒のネジ山に係合するローレットを刻設した案内環、または円周上に一定間隔をおいて配設した縦リブからなる案内部材を突設したことを特徴とする押出容器。
【発明の詳細な説明】
【０００１】
【発明の属する技術分野】
本発明は、押出容器とくに押出容器のキャップ螺着部の構造に関する。
【０００２】
【従来の技術】
先端に細長の押出筒を設けた容器口筒部を備えた押出容器は、従来より知られている。
従来の容器は、図７に示すように、容器ａの口筒部３０にキャップｂを螺着するためのネジ３１が設けられているが、口筒部３０の上端は、ネジ谷部に続く円筒に終わっており、口筒部３０上端から延びるように、先端に押出口３２を穿設した押出筒３３が立設されている。
キャップｂの螺着筒３４内周には、口筒部３０のネジ３１に螺合するネジ３５が設けられており、キャップ頂板３６の内面には、押出口３２を封鎖する栓体３７と押出筒３３外周に係合する密封リング３８が設けられている。
【０００３】
【発明が解決しようとする課題】
しかしながら、押出筒３３が長くなるとキャップｂの高さも大きくなり、口筒部３０のネジ３１とキャップｂのネジ３５との間にガタつきがあると、キャップｂが傾き、栓体３７が押出口３２内に正確に位置して挿入しないということが生じ、そのため、時には栓体３７、あるいは押出口３２の表面が傷つけられたり、変形して密封が弱められるという問題点が生じることもあった。
これを防ぐため、キャップｂに押出筒３３の外周に係合する密封リング３８が設けられているが、ネジのガタつきが大きいと、使用時に密封リング３８にも変形が生じて、上記問題点を完全になくすということはできなかった。
【０００４】
本発明は、上記の問題点を解決することを技術的課題として、容器の口筒部に案内を設けることによって、キャップの螺着筒が、口筒部に対して正確に位置決めされ、螺着されるようにした押出容器を提供することを目的とする。
【０００５】
【課題を解決するための手段】
本発明は、上記の技術的課題を達成するため、押出容器として、容器口筒部が螺着筒とその上方に続く押出筒とからなり、螺着筒にキャップを被嵌するようにした押出容器であって、前記螺着筒の上端部周縁にキャップの螺着筒のネジ山に係合するローレットを刻設した案内環、または円周上に一定間隔をおいて配設した縦リブからなる案内部材を突設したことを特徴とする構成を採用する。
【０００６】
【発明の実施の形態】
次に、本発明の実施形態について、図面を参照して説明する。
図１において、Ａは容器であり、軟質の合成樹脂を素材として成型されており、内容物として、粘液、粘状物が充填される。
Ｂはキャップであり、合成樹脂によって成型されている。
【０００７】
容器Ａは、口筒部１と肩部２、胴部３と底部４を有しており、図２，３に示すように、口筒部１は、螺着筒５とその上方に連設された押出筒６とからなっている。
螺着筒５の周面には二条ネジ７が刻設されており、その上端周縁には外周にローレットを刻設した案内環８が突設されている。
押出筒６の上端には、押出口９が穿設されており、胴部３を押圧することによって内容物が押出されるようになっている。
【０００８】
肩部２は、前記口筒部１に続く円形の段部１０と該段部１０に接続する肩壁１１が設けられている。
該段部１０の外周には、キャップの位置決め用部材１２が設けられており、肩壁１１の下端は角部を円弧とした菱形形状の下端縁となっている。
【０００９】
胴部３は、肩壁１１に続いて肩壁１１下端縁と同形の胴壁１３を有しており、底部４は、胴部３の断面形状と同形の底壁を有している。
【００１０】
図４に示すように、キャップＢは、容器Ａの胴部３と同形の外周を有する頂壁２０と側壁２１、側壁２１の内側に配設された螺着筒２２とを具えている。
螺着筒２２の内周には、口筒部１外周の二条ネジ７に螺合する二条ネジ２３が刻設されており、外周には、位置決め用部材１２に係合する二つのストッパ杆２４ａ，ｂが設けられ、該ストッパ杆２４と側壁２１との間は支持板２５によって連結されている。
頂壁２０内面中央には、押出口９を閉塞する栓体２６が設けられている。
【００１１】
図５に示すように、口筒部１の案内環８の外径は、キャップＢの螺着筒２２に刻設した二条ネジ２３のネジ山山頂の内径とほぼ同一にしており、栓体２６は一定の締め代をもって押出口９に係合するようにされている。
【００１２】
次に、上記構成による作用効果について説明すると、必要量の内容物を押出した後に、キャップＢを被嵌すると、キャップＢの二条ネジ２３の山頂が口筒部１の案内環８の外周に係合し、キャップＢの螺着筒２２の軸心が口筒部１の軸心と一致するように位置決めされる。
次いでキャップＢを廻動すると、口筒部１の二条ネジ７と螺着筒２２の二条ネジ２３は軸線を同一に螺合され、キャップＢが軸線方向に正確に下降案内される。
【００１３】
キャップＢの最下降位置では、ストッパ杆２４が位置決め部材１２に係合し、容器ＡとキャップＢとを周方向に位置決めすると同時に、キャップＢの上下方向の位置を正確に位置決めされる。
したがって、栓体２６は、上下方向に正確に位置決めされ、その軸心を押出口９の軸心に合致させて押出口９に挿入される。
【００１４】
前記実施形態では、キャップの案内部材として案内環８を用いたが、図６に示すように、円周上に一定間隔をおいて配設した縦リブ２７を設けてもよい。
また、ネジとして二条ネジを採用しているが、一条ネジであってもよく、特定のネジに限定されない。
前記実施形態では図に示すように、容器は胴部と底部を一体成形したボトルとなっているが、容器としては、胴部下端を融着するようにしたチューブ容器であってもよい。
【００１５】
【発明の効果】
本発明は、上記のように構成されているから、次の効果を奏する。
容器口筒部に刻設したネジの上方に、キャップのネジの山頂に係合する案内環を設けたので、キャップを口筒部に被嵌螺着するとき軸線方向に正確に下降案内される。
そのため、キャップの頂壁に設けた栓体が押出口に正確に位置決め挿入され、押出口の周辺を傷つけることがない。
また、キャップの頂壁に押出筒の外周に係合する密封リングを設ける必要もなくなった。
【図面の簡単な説明】
【図１】  本発明の分解図である。
【図２】  容器要部の正面図である。
【図３】  容器の平面図である。
【図４】  キャップの説明図で、（ａ）は一部断面正面図、（ｂ）は底面図である。
【図５】  容器とキャップの組立図である。
【図６】  別実施形態の説明図である。
【図７】  従来の押出容器の説明図である。
【符号の説明】
Ａ，ａ                容器
Ｂ，ｂ                キャップ
１，３０              口筒部
５，２２，３４        螺着筒
６，３３              押出筒
７，２３，            二条ネジ
８                    案内環
９，３２              押出口
２０  ３６              頂壁
２６，３７              栓体
２７                    縦リブ
【図１】
0003789611.tif 000002
【図２】
0003789611.tif 000003
【図３】
0003789611.tif 000004
【図４】
0003789611.tif 000005
【図５】
0003789611.tif 000006
【図６】
0003789611.tif 000007
【図７】
0003789611.tif 000008